(57)【要約】      （修正有）【課題】接触による感電事故を防止し、かつ、加工作業に制限をもたらすことがない層状絶縁構造を備えたジャンパ抵抗器を提供する。【解決手段】ジャンパ抵抗器は線状基材からなり、線状基材が水平部と、下端がピンをそれぞれ構成している二本の垂直腕部とを有する。基材は、水平部に絶縁層がコーティングされており、絶縁層はさらに垂直腕部の上端にまで延在して、水平部およびピンより上の垂直腕部の表面を被覆することで、電気的な隔絶を構成している。【選択図】図２
0003163997.tif 000002
【実用新案登録請求の範囲】
【請求項１】
線状基材が水平部と、下端がピンをそれぞれ構成している二本の垂直腕部とを有する層状絶縁構造を備えたジャンパ抵抗器であって、
前記基材は、水平部に絶縁層がコーティングされており、前記絶縁層はさらに垂直腕部の上端にまで延在して、水平部およびピンより上の垂直腕部の表面を被覆することで、電気的な隔絶を構成していることを特徴とする層状絶縁構造を備えたジャンパ抵抗器。
【請求項２】
前記基材は垂直腕部の下端に、ピンの上方に配設されている膨出部がさらに形成されており、前記垂直腕部上の絶縁層が膨出部の上方にまで延在していることを特徴とする請求項１に記載の層状絶縁構造を備えたジャンパ抵抗器。
【請求項３】
前記膨出部が前記垂直腕部とピンとの接合箇所にてさらに外側に折り曲げられて構成されている円弧状突起部であることを特徴とする請求項３に記載の層状絶縁構造を備えたジャンパ抵抗器。
【考案の詳細な説明】
【技術分野】
【０００１】
本考案は微小抵抗のジャンパ抵抗器に関し、とりわけ接触しうる表面にコーティング方式で絶縁層を形成することで、隔絶保護することができるジャンパ抵抗器に関する。
【背景技術】
【０００２】
微小抵抗のジャンパ抵抗器は主に電流の測定に用いられ、電源回路の配線上に抵抗値の低いジャンパ抵抗器を実装することで電流を測定するものであって、回路の特性に顕著な影響はなく、高い信頼性を備えている。
【０００３】
従来の微小抵抗のジャンパ抵抗器は図３に示すとおりであって、主に金属線材で略逆Ｕ字状の基材７０を加圧成型しており、前記基材７０は水平部７１を備えており、水平部７１の両端は湾曲し延在して垂直腕部７２をそれぞれ構成しており、また二本の垂直腕部７２の下端は、ジャンパを挿入するためのピンをそれぞれ構成している。さらに、一部のジャンパ抵抗器では垂直腕部７２の上端箇所には、垂直腕部７２の挿設深さを規制するための膨出部７２０が加圧形成されている。
【考案の概要】
【考案が解決しようとする課題】
【０００４】
上記から判るように、従来のジャンパ抵抗器は裸線形態であるため、配線接続のジャンパ線として回路基板上に挿設したとき、前記基材７０上において少なくとも水平部７１が露出した状態となり、電流を測定するとき、回路基板は通電状態となるため、電流測定時に作業者が裸で露出した状態の基材７０に接触して感電する事故が起りかねない。上記から判るように、上記した裸線形態のジャンパ抵抗器は安全性での考慮が不足しているのは間違いない。
【０００５】
上記問題を解決するために、図４に示すように、隔絶措置を施したジャンパ抵抗器が現れた。これは主に基材７０上に絶縁性の絶縁チューブ７３を被せ、さらに基材７０の両端が湾曲して垂直腕部７２をそれぞれ構成している（図５に示すとおり）。この場合、前記絶縁チューブ７３は基材７０の水平部を覆う以外に、二本の垂直腕部７２の上端位置も絶縁チューブ７３で被覆されている。このような措置を利用することで、前記基材７０がジャンパ線として回路基板に挿設されると、その露出している水平部および垂直腕部７２は絶縁チューブ７３で被覆され、隔絶されているため、誤って接触して感電する事故を防止できる。しかし絶縁チューブ７３は基材７０に被されて、基材７０に密着していないため、基材７０が折り曲げられるとき、絶縁チューブ７３を位置合せしなければ、二本の垂直腕部７２の上端をも絶縁チューブ７３で被覆することはできない。
【０００６】
上記したジャンパ抵抗器は隔絶作用を有するものの、絶縁チューブ７３を設けることは以下のような不便もある。
【０００７】
上記したように、絶縁チューブ７３は基材７０を折り曲げ加工する前に予め基材７０に被されていることから、絶縁チューブ７３を被せた後でないと、前記基材７０を逆Ｕ字状に折り曲げるように加工することはできない。言い換えれば、絶縁チューブ７３が直線状態のときでなければ挿入することはできず、ジャンパ抵抗器の製造工程において一定の制限をもたらすことになる。また基材７０の二本の垂直腕部７２において、その上端箇所に、深さを規制するための膨出部７２０形成するとなると、前記膨出部７２０の作製のタイミングもまた絶縁チューブ７３を被せた後に制限されてしまう。なぜならば、もし先に垂直腕部７２を製作してしまうと、垂直腕部７２の外径が大きくなってしまい、絶縁チューブ７３を被せるのに不便となってしまうからである。
【０００８】
上記から判るように、従来のジャンパ抵抗器に裸線形態の設計を採用すると、誤って接触して感電する事故が生じるおそれがあり、また隔絶措置を施したジャンパ抵抗器であっても、その絶縁チューブの装着作業はジャンパ抵抗器の製作工程に制限をもたらし、万全とは言えない。よって、さらに検討を重ねて、実現可能な解決方法を図ることが待たれていた。
【課題を解決するための手段】
【０００９】
したがって、本考案の目的は、主に接触しうる表面上に層状絶縁構造を形成することで、誤って接触して感電する事故を防止し、他方では、層状絶縁構造がコーティング方式で構成されているため、加工作業に制限をもたらすおそれのない層状絶縁構造を備えたジャンパ抵抗器を提供するところにある。
【００１０】
上記目的を達成するために採用した主な技術的手法は、前記ジャンパ抵抗器は、略逆Ｕ字状の金属製線状基材からなり、前記基材は水平部と、二本の垂直腕部を備えており、二本の垂直腕部の下端はピンをそれぞれ構成している。そして、前記基材は、水平部に絶縁層がコーティングされており、前記絶縁層はさらに垂直腕部の上端にまで延在して、水平部およびピンより上の垂直腕部の表面に密着して被覆することで、電気的な隔絶を構成していることを特徴とする。
【考案の効果】
【００１１】
前記ジャンパ抵抗器の絶縁層は基材の水平部および垂直腕部上端に形成されており、この部位はジャンパ抵抗器を挿設した後露出している接触しうる表面に適しており、そして本考案ではこのジャンパ抵抗器の接触しうる表面に電気的な隔絶作用を有する絶縁層を備えることで、ジャンパ抵抗器が通電状態のときに誤って接触して感電する事故を招くおそれはない。さらに、前記絶縁層はコーティング方式で構成されているため、ジャンパ抵抗器の加工が完了した後に絶縁層をコーティングしても、また加工前にコーティングしてもよく、加工作業について言えば、効率性と柔軟性を備えており、しかも被覆したい位置を正確に絶縁層でコーティングできる。
【図面の簡単な説明】
【００１２】
【図１】本考案の立体図である。
【図２】本考案の好ましい実施例の断面図である。
【図３】従来のジャンパ抵抗器の平面図である。
【図４】従来の他のジャンパ抵抗器を折り曲げ加工する前の平面図である。
【図５】従来の他のジャンパ抵抗器を折り曲げ加工した後の平面図である。
【考案を実施するための形態】
【００１３】
本考案の好ましい実施例に関しては、図１、図２を参照されたい。本考案では、金属線で作製された線状基材１０とからなり、前記基材１０は水平部１１を備えており、前記水平部１１は両端がそれぞれ折り曲げられるとともに垂直方向に延在して垂直腕部１２を形成しており、二本の垂直腕部１２は下端部から底端までに適度な長さを持たせてピン１２１をそれぞれ構成している。
【００１４】
また、基材１０は水平部１１上に絶縁層１３がコーティングで形成されており、前記絶縁層１３はさらに垂直腕部１２のピン１２１よりも上の部位にまで延在して、ひいては水平部１１およびピン１２１よりも上の垂直腕部１２の表面に密着して被覆している。
【００１５】
さらに、前記基材１０は垂直腕部１２の下端にさらに膨出部１２０を形成することができる。前記膨出部１２０はピン１２１の上方に配設されており、そして垂直腕部１２上の絶縁層１３は膨出部１２０の上方にまで延在している。本実施例において、前記膨出部は前記垂直腕部とピンとの接合箇所にてさらに外側に折り曲げられて構成されている円弧状突起部である。
【００１６】
前記絶縁抵抗器をその二本の垂直腕部１２のピン１２１で回路基板の配線上に挿設して電流を測定するとき、その水平部１１および二本の垂直腕部１２における面積の大部分は絶縁層１３によって被覆されている。この状況において、使用者が基材１０の水平部１１、場合によってはその両端の垂直腕部１２に接触しても、絶縁層１３はすでに電気的に隔絶された作用を持っているので、感電する事故を効果的に防止することができる。また絶縁層１３をコーティング方式で形成するため、加工作業が制限されるおそれがなく、加工作業により柔軟性を持たせ、かつ被覆したい位置を正確に絶縁層でコーティングできる。
【符号の説明】
【００１７】
１０            基材
１１            水平部
１２            垂直腕部
１２０            膨出部
１２１            ピン
１３            絶縁層
７０            基材
７１            水平部
７２            垂直腕部
７２０            膨出部
７３            絶縁チューブ
【図１】
0003163997.tif 000003
【図２】
0003163997.tif 000004
【図３】
0003163997.tif 000005
【図４】
0003163997.tif 000006
【図５】
0003163997.tif 000007
【手続補正書】
【提出日】平成22年9月6日(2010.9.6)
【手続補正１】
【補正対象書類名】実用新案登録請求の範囲
【補正対象項目名】全文
【補正方法】変更
【補正の内容】
【実用新案登録請求の範囲】
【請求項１】
線状基材が水平部と、下端がピンをそれぞれ構成している二本の垂直腕部とを有する層状絶縁構造を備えたジャンパ抵抗器であって、
前記基材は、水平部に絶縁層がコーティングされており、前記絶縁層はさらに垂直腕部の上端にまで延在して、水平部およびピンより上の垂直腕部の表面を被覆することで、電気的な隔絶を構成していることを特徴とする層状絶縁構造を備えたジャンパ抵抗器。
【請求項２】
前記基材は垂直腕部の下端に、ピンの上方に配設されている膨出部がさらに形成されており、前記垂直腕部上の絶縁層が膨出部の上方にまで延在していることを特徴とする請求項１に記載の層状絶縁構造を備えたジャンパ抵抗器。
【請求項３】
前記膨出部が前記垂直腕部とピンとの接合箇所にてさらに外側に折り曲げられて構成されている円弧状突起部であることを特徴とする請求項２に記載の層状絶縁構造を備えたジャンパ抵抗器。